(57)【要約】【課題】  設置時に屋根軒先から支持枠部が見えなくなって建物の体裁を良好に保持できる軒先消雪具を提供すること。【解決手段】  波板２を固定した本体枠１の一側部に、側方より見て山形をなす支持枠部３を設け、この支持枠部３に雪をせき止めて細分化するための金網や多数の孔を有する板材などの雪止材４を配設して雪止部５を構成した軒先消雪具において、屋根軒先12側に配設する前記支持枠部３の軒先側端部３Ａに、この支持枠部３の少なくとも軒先側端部３Ａを隠蔽して屋根軒先12から見えなくする隠蔽部６を設ける。【選択図】      図１
2005105778.tif 000002
【特許請求の範囲】
【請求項１】
波板を固定した本体枠の一側部に、側方より見て山形をなす支持枠部を設け、この支持枠部に雪をせき止めて細分化するための金網や多数の孔を有する板材などの雪止材を配設して雪止部を構成した軒先消雪具において、屋根軒先側に配設する前記支持枠部の軒先側端部に、この支持枠部の少なくとも軒先側端部を隠蔽して屋根軒先から見えなくする隠蔽部を設けたことを特徴とする軒先消雪具。
【請求項２】
前記隠蔽部は、前記支持枠部の軒先側端部を外側から隠蔽し得る大きさの板材を採用して構成し、この隠蔽部を前記軒先側端部に付設したことを特徴とする請求項１記載の軒先消雪具。
【請求項３】
前記支持枠部内にして前記波板の上方に前記雪止材を配設固定したことを特徴とする請求項１，２のいずれか１項に記載の軒先消雪具。
【請求項４】
断面略Ｌ字状の前記雪止材を前記支持枠部内に挿入配設し、この略Ｌ字状の雪止材の立設部を支持枠部の軒先側端部に固定することで、横設部を前記波板の上方に配設固定したことを特徴とする請求項３記載の軒先消雪具。
【請求項５】
前記本体枠の一側端部若しくは前記支持枠部の軒先側端部に、屋根軒先の先端部に係止するフック部を垂設し、このフック部を上下方向に伸縮調整自在に構成したことを特徴とする請求項１〜４のいずれか１項に記載の軒先消雪具。
【発明の詳細な説明】
【技術分野】
【０００１】
本発明は、屋根の軒先側上面に設置して使用する軒先消雪具に関する。
【背景技術】
【０００２】
従来から、波板を固定した矩形の本体枠の一側部に、側方より見て山形をなす支持枠部を設け、この支持枠部に金網を張設して雪止部を構成した軒先消雪具が実施されている（特許文献１参照。）。
【０００３】
この軒先消雪具によれば、屋根軒先の上面部に設置固定すると、屋根の傾斜によって棟側から滑落してくる雪が山形の雪止部でせき止められ、このせき止められた雪が日中の太陽熱の作用により融雪し、自重によって金網により細分化されながら下方の波板上に落下し、波板の谷部に沿って雨樋方向に流れることになるもので、軒先に多量に雪が積もることを防止できるので、樋の破損や塊雪の落下による危険を防ぐことができて非常に実用的である。
【０００４】
【特許文献１】登録実用新案第３００６５３３号公報
【発明の開示】
【発明が解決しようとする課題】
【０００５】
ところが、この軒先消雪具は、屋根軒先の上面部に設置固定するものであるため、軒先側に配設する支持枠部（雪止部）がどうしても軒先から見えてしまうもので、この支持枠部が見えることで建物の外観に違和感が生じ、美観を損なう問題があった。
【０００６】
本発明は、このような軒先消雪具の問題点を解決するためのもので、設置時に屋根軒先から支持枠部の少なくとも軒先側端部が見えなくなって建物の体裁を良好に保持できる軒先消雪具を提供することが技術的課題である。
【課題を解決するための手段】
【０００７】
添付図面を参照して本発明の要旨を説明する。
【０００８】
波板２を固定した本体枠１の一側部に、側方より見て山形をなす支持枠部３を設け、この支持枠部３に雪をせき止めて細分化するための金網や多数の孔を有する板材などの雪止材４を配設して雪止部５を構成した軒先消雪具において、屋根軒先12側に配設する前記支持枠部３の軒先側端部３Ａに、この支持枠部３の少なくとも軒先側端部３Ａを隠蔽して屋根軒先12から見えなくする隠蔽部６を設けたことを特徴とする軒先消雪具に係るものである。
【０００９】
また、前記隠蔽部６は、前記支持枠部３の軒先側端部３Ａを外側から隠蔽し得る大きさの板材を採用して構成し、この隠蔽部６を前記軒先側端部３Ａに付設したことを特徴とする請求項１記載の軒先消雪具に係るものである。
【００１０】
また、前記支持枠部３内にして前記波板２の上方に前記雪止材４を配設固定したことを特徴とする請求項１，２のいずれか１項に記載の軒先消雪具に係るものである。
【００１１】
また、断面略Ｌ字状の前記雪止材４を前記支持枠部３内に挿入配設し、この略Ｌ字状の雪止材４の立設部４Ａを支持枠部３の軒先側端部３Ａに固定することで、横設部４Ｂを前記波板２の上方に配設固定したことを特徴とする請求項３記載の軒先消雪具に係るものである。
【００１２】
また、前記本体枠１の一側端部若しくは前記支持枠部３の軒先側端部３Ａに、屋根軒先12の先端部に係止するフック部７を垂設し、このフック部７を上下方向に伸縮調整自在に構成したことを特徴とする請求項１〜４のいずれか１項に記載の軒先消雪具に係るものである。
【発明の効果】
【００１３】
本発明は上述のように構成したから、隠蔽部が支持枠部の少なくとも軒先側端部を隠蔽してこの支持枠部が屋根軒先から見えなくなるので、従来品のように建物の美観を損なうことなく、体裁を良好に保持できることになり、しかも、本発明は、単に支持枠部の軒先側端部に隠蔽部を設けるだけで構成できるため、従来品に比べてさほど構造が複雑せず、簡易に設計実現可能となるなど、極めて実用性に秀れた軒先消雪具となる。
【００１４】
また、請求項２記載の発明においては、支持枠部を確実に隠蔽する体裁の良い隠蔽部を簡易な構成にして容易に且つコスト安に設計実現可能となる一層実用性に秀れた構成の軒先消雪具となる。
【００１５】
また、請求項３記載の発明においては、一層融雪効果が向上する極めて実用性に秀れた構成の軒先消雪具となる。
【００１６】
また、請求項４記載の発明においては、前記請求項３記載の発明の作用・効果に加えて、波板上に雪止材を配設する構成を簡易に設計実現可能となる上、雪止材の支持枠部への固定構造も簡易に設計可能となるなど、一層実用性に秀れた軒先消雪具となる。
【００１７】
また、請求項５記載の発明においては、建物によって異なる屋根軒先の先端部の上下幅に対応させてフック部を伸縮調整できるため、どのような屋根に対してもフック部を係止させて本発明品を安定的に設置固定することができる一層汎用性に秀れ、実用性に秀れた構成の軒先消雪具となる。
【発明を実施するための最良の形態】
【００１８】
好適と考える本発明の最良の形態（発明をどのように実施するのが最良か）を、図面に基づいて本発明の作用効果を示して簡単に説明する。
【００１９】
本発明品を、雪止部５が存する一側端部が屋根軒先12側に位置するようにして屋根軒先12の上面部に設置固定する。
【００２０】
すると、従来品の場合、支持枠部がどうしても屋根軒先から見えてしまうために、建物の美観を損なってしまう問題があったが、本発明の場合、隠蔽部６が支持枠部３の少なくとも軒先側端部３Ａを隠蔽してこの軒先側端部３Ａが屋根軒先12から見えなくなるので、看者に従来品のような外観上の違和感を与えず、建物の体裁が良好となる。
【００２１】
また、例えば、前記隠蔽部６は、前記支持枠部３の軒先側端部３Ａを外側から隠蔽し得る大きさの板材を採用して構成し、この隠蔽部６を前記軒先側端部３Ａに付設すれば、支持枠部３を確実に隠蔽する隠蔽部６を簡易な構成にして容易に設計実現可能となる上、屋根軒先12にはシンプルな板状の隠蔽部６が見えるために、外観上の違和感がなく極めて体裁良好となり、しかも、従来品に対して単に支持枠部３の軒先側端部３Ａに板材を付設しただけの構造のため、安価に設計実現可能な構成であると共に、隠蔽部６を付設したことによって製品重量が極端に重くなったりすることもなく、従来品とさほど変わらない取扱容易性を確保できるなど、一層実用的となる。
【００２２】
また、例えば、前記支持枠部３内にして前記波板２の上方に前記雪止材４を配設固定すれば、雪止部５から細分化されて下方へ落下した雪が波板２上方の雪止材４へと積雪し、この雪止材４で更に細分化されて波板２上へ落下することになるので、一層融雪効果が向上することになる。
【００２３】
また、例えば、断面略Ｌ字状の前記雪止材４を前記支持枠部３内に挿入配設し、この略Ｌ字状の雪止材４の立設部４Ａを支持枠部３の軒先側端部３Ａに固定することで、横設部４Ｂを前記波板２上方に配設固定すれば、雪止部５で細分化されて下方へ落下した雪が雪止材４の横設部４Ｂ上で更に細分化されて波板２上へ落下することになるので、一層融雪効果が向上し、しかも、波板２上に雪止材４を配設する構成を簡易に設計実現可能となる上、略Ｌ字状の雪止材４の立設部４Ａを支持枠部３の軒先側端部３Ａに固定するから、波板２が固定される本体枠１に波板２を介して横設部４Ｂを固定するような構造に比べて、簡易な固定構造に設計可能となるなど、一層実用的となる。
【００２４】
また、例えば、前記本体枠１の一端部若しくは前記支持枠部３の軒先側端部３Ａに、屋根軒先12の先端部に係止するフック部７を垂設し、このフック部７を上下方向に伸縮調整自在に構成すれば、建物によって異なる屋根軒先12の先端部の上下幅に対応させてフック部７を伸縮調整できるため、どのような屋根に対してもフック部７を係止させて本発明品を安定的に設置固定することができ、一層実用的となる。
【実施例】
【００２５】
本発明の具体的な実施例について図面に基づいて説明する。
【００２６】
本実施例は、本体枠１に波板２を固定し、この本体枠１の一側部（先端部）に側方より見て山形をなす支持枠部３を設け、この支持枠部３に雪をせき止めて細分化するための雪止材４を配設して雪止部５を構成している。
【００２７】
具体的に説明すると、本体枠１は、図１に示すように、帯板材を組んで矩形枠状に構成し、この本体枠１の一側部に支持枠部３を一体的に設けている。
【００２８】
更に詳しくは、本体枠１の一側端部（屋根軒先12側に配する前端部）を略直角上方へ屈曲し、その屈曲先端を本体枠１の他側（後側）へ向けて下傾斜屈曲すると共に、屈曲先端を本体枠１の他側端部寄りの途中部に止着することで、図２に示すように、側方より見て立ち上がり部分３Ａが短く斜辺部分３Ｂが長い三角形山形の前記支持枠部３を本体枠１の一側部に形成している。
【００２９】
そして、この支持枠部３の斜辺部分３Ｂに前記雪止材４を配設して、屋根の棟側から滑落する雪をせき止める前記雪止部５を構成している。
【００３０】
また、この斜辺部分３Ｂに配する雪止材４は、図１に示すように、帯板材を矩形枠状に組んでこの矩形枠内に金網を張設した構造のものを採用し、この雪止材４の隅部を、単にビスを採用した止着具11によって斜辺部分３Ｂの隅部に止着固定した構成としている。
【００３１】
また、本実施例では、断面略Ｌ字状に屈曲形成した雪止材４をその立設部４Ａが前記立ち上がり部分３Ａに位置するようにして前記支持枠部３内に側方から挿入配設し、この略Ｌ字状の雪止材４の立設部４Ａを支持枠部３の立ち上がり部分３Ａに固定することで、立設部４Ａが立ち上がり部分３Ａに配置してこの立ち上がり部分３Ａに前記雪止部５が形成され、更に略Ｌ字状の雪止材４の横設部４Ｂが本体枠１に固定した波板２の上方に配置する構成としている。
【００３２】
この立設部４Ａの立ち上がり部分３Ａへの固定構造は、単に立ち上がり部分３Ａの外側から止着螺子９を立設部４Ａにまで貫通させ、この立設部４Ａから貫通突出する止着螺子９の先端部に蝶ナットを採用した螺着具10を螺着することで締付固定する構造としている。
【００３３】
従って、このような簡易な固定構造としたことにより、略Ｌ字状の雪止材４を支持枠部３内に簡単に配設固定することができ、これによって支持枠部３の軒先側端部３Ａに簡単に雪止部５を形成できると共に、波板２上に融雪効果のある雪止材４（横設部４Ｂ）を形成できることになる構成としている。
【００３４】
また、横設部４Ｂによる融雪作用を説明すると、斜辺部分３Ｂの雪止部５などで細分化されて下方へ落下した雪が直接波板２に落ちずに一旦この横設部４Ｂ上に積雪し、これによりこの横設部４Ｂで更に雪が細分化されて融け易くなる。そして、この横設部４Ｂで細細分化された雪は、波板２上へと落下して雨樋方向へ流れることになる。
【００３５】
また、ここで、本体枠１に対する前記波板２の固定構造を説明する。
【００３６】
波板２は、横設部４Ｂと略同形状をなす方形状のものを採用している。
【００３７】
この波板２を、山谷の長さ方向が本体枠１の前後方向と一致するようにして支持枠部３の下方部分の本体枠１上に載置し、この波板２の上方に前記略Ｌ字状の雪止材４の横設部４Ｂを載置した状態で立設部４Ａを立ち上がり部分３Ａに固定することで、この横設部４Ｂにより波板２を押え込み固定した構造としている。また、この際、波板２の裏面側の谷部を本体枠１の前後方向に存する枠部に被嵌することで左右方向へのガタつきを防止している。
【００３８】
従って、このような固定構造としたことにより、ネジ止めなどを要することなく波板２を本体枠１に対して簡単に固定することができる。また、略Ｌ字状の雪止材４は、横設部４Ｂを波板２を介して本体枠１に固定するような構造でなく、立設部４Ａを立ち上がり部分３Ａに直接固定するから、波板２には何ら加工を要せず、非常に簡易な固定構造に設計できた。
【００３９】
本実施例では、屋根軒先12側に配設する前記支持枠部３の軒先側端部３Ａに、この軒先側端部３Ａを隠蔽して屋根軒先12から見えなくする隠蔽部６を設けている。
【００４０】
具体的には、隠蔽部６は、軒先側端部３Ａたる前記立ち上がり部分３Ａの雪止部５（立設部４Ａ）を隠蔽し得るように構成している。
【００４１】
更に詳しくは、隠蔽部６は、図１に示すように、立ち上がり部分３Ａの略全体を外側から隠蔽し得る大きさの長方形状の板材を採用して構成し、この隠蔽部６を、立ち上がり部分３Ａを構成する縦枠部の上端部に外側から付設固定している。
【００４２】
また、この隠蔽部６の立ち上がり部分３Ａへの固定構造は、この隠蔽部６の上縁部（長手方向縁部）を、立ち上がり部分３Ａを構成する縦枠部の上端部に単にビスを採用した止着具11で止着固定した構造としている。従って、この固定構造は簡易に設計実現可能な構成であり、量産性に秀れる。
【００４３】
また、この隠蔽部６は、付設部分たる上縁部より下側位置を屈曲することで、下側程立ち上がり部分３Ａに対し外側へ離れる斜設状態に設け、これによりこの斜設する隠蔽部６の表面を雪やゴミが滑落した場合には、雪やゴミが屋根軒先12に取り付けられた雨樋よりも外側へと案内されながら落下することとなって、雨樋が雪の重みで破損したり、雨樋にゴミなどが溜まったりすることが防止される構成としている。
【００４４】
また、本実施例では、支持枠部３の屋根軒先12側に配設する先端部たる立ち上がり部分３Ａに、屋根軒先12の先端部に係止するフック部７を垂設し、このフック部７を上下方向に伸縮自在に構成して、建物によって異なる屋根軒先12の先端部の上下方向幅に対応させてフック部７を伸縮調整できるようにしている。
【００４５】
具体的には、フック部７は、図１，図２に示すように、帯板材をコ字形フック状に折曲形成して構成している。
【００４６】
また、このフック部７の基端部には、取付用延設部８を一体的に設けると共に、この延設部８の長手方向の両側縁にガイド片８Ａを屈曲形成し、このガイド片８Ａを備えた延設部８を介して前記立ち上がり部分３Ａにフック部７を垂設した構成としている。
【００４７】
更に詳しくは、フック部７を下に向けた状態で延設部８を前記立ち上がり部分３Ａの縦枠部に重合し、この重合する延設部８に前記止着螺子９を貫通させて締付固定することで、フック部７を本体枠１より下方へ垂設状態に配設している。即ち、本実施例では、止着螺子９と螺着具10とによって略Ｌ字状の雪止材４とフック部７とを同時に締付固定した構成としている。
【００４８】
また、この延設部８に形成した止着螺子９貫通用の貫通孔８Ｂは、この延設部８の長さ方向に沿った上下長さを有する長孔とし（図１参照）、この止着螺子９と貫通孔８Ｂとの関係により、前記螺着具10を緩めた状態では、延設部８（フック部７）を立ち上がり部分３Ａの縦枠部に対し上下方向にスライド移動調整でき、任意の調整位置で螺着具10を締付することで、位置決めできる構成としている。また、この際、ガイド片８Ａにより延設部８が横ズレしない状態で安定的に上下スライドする構成としている。
【００４９】
また、本実施例では、前記したように螺着具10として蝶ナット10を採用しているため、フック部７のスライド調整に際しては、この蝶ナット10を手動で簡単に緩めたり締付したりできて、操作性に秀れる構成としている。
【００５０】
次に、本実施例の使用方法（設置方法）を説明する。
【００５１】
予め、螺着具10を緩めておき、フック部７を屋根軒先12の先端部に引っ掛けた上、フック部７をスライド調整して螺着具10を締付固定することで、フック部７を屋根軒先12の先端部に係止する（図３参照）。
【００５２】
次いで、本体枠１の棟側の後端部に図示省略の取付金具を接続し、この取付金具を屋根のハゼ部などに固定することで、設置完了となる。
【００５３】
このようにして本軒先消雪具を屋根軒先12の上面に設置すると、背景技術で述べた融雪効果が得られると共に、隠蔽部６によって確実に立ち上がり部分３Ａと共に雪止部５も目隠しされるので、これらが屋根軒先12から見えることによる建物の体裁の悪化や違和感をなくすることができる。
【００５４】
尚、本発明は、本実施例に限られるものではなく、各構成要件の具体的構成は適宜設計し得るものである。
【図面の簡単な説明】
【００５５】
【図１】本実施例を示す一部を省略した斜視図である。
【図２】本実施例の説明側面図である。
【図３】本実施例の使用状態を示す概略説明図である。
【符号の説明】
【００５６】
１  本体枠
２  波板
３  支持枠部
３Ａ  軒先側端部
４  雪止材
４Ａ  立設部
４Ｂ  横設部
５  雪止部
６  隠蔽部
７  フック部
12  屋根軒先
【図１】
2005105778.tif 000003
【図２】
2005105778.tif 000004
【図３】
2005105778.tif 000005